(57)【特許請求の範囲】
【請求項１】
引戸１の開放側端部に取り付けられた半開用デッドボルト３Ａ及びこの半開用デッドボルト３Ａに対して所要間隔を有して位置する全閉用デッドボルト３Ｂと、これらのデッドボルト３Ａ、３Ｂに係脱するラッチ５０を含む施解錠機構Ｘを内蔵し、かつ、戸枠側に設けられた錠ケース７とから成る引戸用電気錠であり、前記施解錠機構Ｘは、駆動源３０の作動杆３１の伸縮動により回動するように錠ケース７に軸支された回動ロック部材３５と、この回動ロック部材３５にロックされるように錠ケース７に回転及び上下動可能に軸支され、かつ、ラッチ用復帰バネ７９で常時突出方向に付勢された前記ラッチ５０と、このラッチと一緒に移動することができるように該ラッチに軸支され、かつ、従動体用復帰バネ７８のバネのバネ力により所定量回転してそのまま所定位置に停止すると共に、検出手段８０用の突起部７６を有する従動体７０とを備え、前記検出手段８０は、引戸が開放方向Ａに移動すると、ラッチ５０と共に錠ケース７内に後退動する従動体７０の回転動を利用し、駆動源３０用の検出信号を拾うこと特徴とする引戸用電気錠。
【請求項２】
請求項１に於いて、検出手段８０は、全閉用デッドボルト３Ｂがラッチ５０に係止されている時は、従動体７０の検出手段用突起部７６が検出手段８０に接触して「スイッチＯＦＦ」となり、一方、全閉用デッドボルト３Ｂが半開方向へ水平動することにより従動体７０がラッチ５０と共に移動し、前記検出手段用突起部７６が検出手段８０から離れると駆動源３０に対して「スイッチＯＮ」と成るスイッチ部材であることを特徴とする引戸用電気錠。
【請求項３】
請求項１に於いて、従動体７０は、支軸５９を介してラッチ５０
の一側壁５７に軸支された円形乃至多角形の板状体であり、この板状体は半径方向の一部に親指部７３と人差し指部７４とを形成する切欠部７２を有することを特徴とする引戸用電気錠。
【請求項４】
請求項１に於いて、従動体７０は、支軸５９を介してラッチ５０
の一側壁５７に軸支された板状体であり、この板状体の常時錠ケース７内に位置する適宜部位には、検出手段用突起部７６が設けられていることを特徴とする引戸用電気錠。
【請求項５】
請求項１に於いて、従動体７０には従動体用復帰バネ７８に常時圧接する突出ピン７５が設けられていることを特徴とする引戸用電気錠。
【請求項６】
請求項１に於いて、半開用デッドボルト３Ａ及び全閉用デッドボルト３Ｂは、横方向に横設された長箱状の支持箱４に固定具６を介してそれぞれ突出量を任意に調整することができるように固定され、支持箱から突出する上端部３ｂがラッチ５０に係合することを特徴とする引戸用電気錠。
【請求項７】
請求項６に於いて、支持箱４Ａの内壁４ａに半開用デッドボルト９０Ａ及び全閉用デッドボルト９０Ｂが所要間隔を有して一体に形成されていることを特徴とする引戸用電気錠。
【発明の詳細な説明】
【０００１】
【発明の属する技術分野】
本発明は引戸用電気錠に関する。本発明は、例えば特別養護老人ホームや病院などの引戸用電気錠に適する。
【０００２】
【従来の技術】
特別養護老人ホームや病院では、天気の良い日などには、「風を入れたい」という理由で引戸を多少開くような場合がある。このような場合、管理上の観点から、引戸の全閉時はもちろん、所望の通風空間を設定した半開状態（ここでは一般に人の通過が不可能な空間状態：例えば１２ｃｍを意味する。）に於いても確実に引戸を施錠状態にする必要がある。
【０００３】
そこで、現在、引戸の全閉時並びに半開時に確実に施錠することができる引戸用電気錠の出現が要望されている。
【０００４】
ところで、一般に引戸の全閉時信号や半開時施錠用信号を取り出す場合、例えば磁気感応スイッチ、光センサー等掲げることができるが、戸枠の錠ケースに内装された信号検出手段（特に磁気感応スイッチや光センサー）とラッチ係合部材（デッドボルト）との関係で有効かつ確実な信号（誤動作しない信号）を取り出すのが困難である。
【０００５】
【発明が解決しようとする課題】
本発明は以上のような従来の要望点や磁気感応スイッチなどの信号検出手段に於ける確実な信号の取出し困難性に鑑み、第１の目的は半開状態に於ける施錠用信号を確実に取り出すことができることである。第２の目的は引戸を所要量開けると、引戸を半開状態で施錠できることである。第３の目的はトリガーがラッチと共にスムースに作動することができることである。第４の目的は錠ケースのコンパクト化の要望を満たすことができることである。
【０００６】
【課題を解決するための手段】
本発明の引戸用電気錠は、引戸１の開放側端部に取り付けられた半開用デッドボルト３Ａ及びこの半開用デッドボルト３Ａに対して所要間隔を有して位置する全閉用デッドボルト３Ｂと、これらのデッドボルト３Ａ、３Ｂに係脱するラッチ５０を含む施解錠機構Ｘを内蔵し、かつ、戸枠側に設けられた錠ケース７とから成る引戸用電気錠であり、前記施解錠機構Ｘは、駆動源３０の作動杆３１の伸縮動により回動するように錠ケース７に軸支された回動ロック部材３５と、この回動ロック部材３５にロックされるように錠ケース７に回転及び上下動可能に軸支され、かつ、ラッチ用復帰バネ７９で常時突出方向に付勢された前記ラッチ５０と、このラッチと一緒に移動することができるように該ラッチに軸支され、かつ、従動体用復帰バネ７８のバネのバネ力により所定量回転してそのまま所定位置に停止すると共に、検出手段８０用の突起部７６を有する従動体７０とを備え、前記検出手段８０は、引戸が開放方向Ａに移動すると、ラッチ５０と共に錠ケース７内に後退動する従動体７０の回転動を利用し、駆動源３０用の検出信号を拾うことを特徴とする。
【０００７】
【発明の実施の形態】
以下、図面に示す本発明の実施の形態を、引戸１の上端部或いは上框２に設けた支持箱４に取付けられた複数個のデッドボルト３Ａ、３Ｂと、これらのデッドボルト３Ａ、３Ｂに対してそれぞれ係脱〜係合する１個のラッチ５０並びにこのラッチ５０に組合わせられた従動体（トリガー）７０を含む電気錠の施解錠機構Ｘを内蔵し、かつ、望ましくは戸枠の上枠５内に設けられた錠ケース７との関係で説明する。
【０００８】
まず複数個のデッドボルト３Ａ、３Ｂについて説明する。デッドボルト３Ａ、３Ｂは、図１又は図３で示すように引戸１のデッドボルト用支持箱４に所要間隔を有して固定されている。ここで「所要間隔」とは、通風空間用の半開状態を形成するためのあいだを意味する。なお、デッドボルト３Ａ、３Ｂの幅は同一であるが、同一の直線ライン上には位置していない（互い違い）。
【０００９】
図１を基準にすると、左右のデッドボルト３Ａ、３Ｂは、横方向に横設された長箱状の支持箱４に下端部３ａが上下方向にスライド可能に内装され、一方、支持箱から突出する上端部３ｂが後述する駆動体としてのラッチ５０に係合する。そして、左右のデッドボルト３Ａ、３Ｂは、支持箱４に対し、固定具６を介してそれぞれ突出量を任意に調整することができる。
【００１０】
デッドボルト３Ａ（３Ｂ）の突出量の調整手段の一例について図３を参照に説明する。８は支持箱４の左右の部位にそれぞれ縦方向に形成された調整長孔、９はデッドボルト３Ａ（３Ｂ）に形成され、かつ、前記調整長孔８と符合するボルト６ａ用メネジ貫通孔、６ｂは座金、６ｃはボルト６ａに螺着するナットである。
【００１１】
ところで、本実施例では支持箱４の所定位置に合計２個のデッドボルト３Ａ、３Ｂがそれぞれ設けられているが、引戸の開放側端部に位置するデッドボルト３Ａは、引戸１を半開状態にした時に施解錠機構Ｘのラッチ５０に係止ロックされる係合片であり、一方、引戸の開放側端部寄りの部位に位置するデッドボルト３Ｂは、引戸１を全閉状態にした時に前記ラッチ５０に係止ロックされる係合片である。
【００１２】
次に施解錠機構Ｘを内蔵する錠ケース７について説明する。錠ケース７は長箱状に形成され、上述したように戸枠の上枠５内に横設されている。ここで図２を基準にすると、７ａは前壁、７ｂは後壁、７ｃは左側壁、７ｄは右側壁、７ｅは上壁、７ｆは底壁である。
【００１３】
図１又は図２で示すように前壁７ａ及び後壁７ｂには、それぞれ対向する複数個の案内部としての垂直ガイド長孔１１、１２や軸孔１３、１４、１５が適宜に形成されている。
【００１４】
しかして、１１は錠ケース７の右側壁７ｄ寄りの部位に形成された弧状部を有する第１垂直ガイド長孔で、この第１垂直ガイド長孔１１にはラッチ５０を案内するガイド部材としての横軸１６が横架されている。
【００１５】
また１２は第１垂直ガイド長孔１１に対して形成され、かつ、錠ケース７の略中央部に位置する第２垂直ガイト長孔で、この第２垂直ガイド長孔１２には横軸１６と相俟ってラッチ５０を上下方向に案内するラッチ突起軸６０が係合する。
【００１６】
また１３は錠ケース７の中央部寄りの部位に形成された第１軸孔で、この第１軸孔１３には後述する回動ロック部材を枢支する軸（突起軸又は横軸）１７が取付けられる。また１４は錠ケース７の略中央部に位置する第２軸孔で、この第２軸孔１４にはトリガーバネ用軸１８が取付けられる。また１５は錠ケース７の右端部に位置する第３軸孔で、この第３軸孔１５にはラッチバネ用軸１９が取付けられる。
【００１７】
さらに、錠ケース７の底壁７ｆには、錠ケース７の一部を形成する長板状の取付け板２０が固定的に設けられ、この取付け板２０には固着具２１を介してフロント板２２が一体的に取付けられている。フロント板２２及び取付け板２０の両端部は錠ケース７の左右の側壁７ｃ、７ｄからそれぞれ突出しいる。そして、各板２０、２２の右端部よりの部位には、前記垂直ガイド長孔１１、１２のそれぞれ位置を考慮してラッチ用貫通孔２３が形成されている。
【００１８】
次に施解錠機構Ｘを構成する各部材について説明する。この施解錠機構Ｘは、本発明の主要部として回転及び上下方向に移動可能な駆動体（ラッチ）５０と、この駆動体と共に錠ケース７内に後退動する従動体（トリガ）７０と、この従動体の回転動を利用し、本実施例ではソレノイドに素早く通電させるための検出信号を拾う検出手段（スイッチ）８０などを有している。
【００１９】
そこで、まず３０は駆動源の一例としてのソレノイドである。このソレノイド３０は錠ケース７内に横設され、かつ、図示しない接続コードを介し、複数個のスイッチング回路を制御する制御装置に接続している。３１はソレノイド３０の作動杆で、この作動杆３１は水平方向に伸縮動するが、本実施例では通電時に伸張し、一方、非通電時には収縮する。しかして、図４で示すように作動杆３１の突出先端部にはやや大径の駆動部３２が設けられ、この駆動部３２の中央部には駆動ピン３３が作動杆と交差する水平方向に突出している。
【００２０】
次に３５は作動杆３１の伸縮動により回動するように錠ケース７に軸１７を介して軸支された回動ロック部材である。回動ロック部材３５は、前記駆動ピン３３を介し、通電時に作動杆３１が伸張するとラッチ５０の回転を阻止するロック方向に、一方、非通電時に作動杆３１が収縮するとラッチ５０の回転を許容するロック解除の方向にそれぞれ回転する。
【００２１】
この回動ロック部材３５は、図４を基準にすると、基本的には前後一対の対向軸受板３６と、これらの対向軸受板３６を作動杆３１の下方の位置で連結する垂直連結板３７とから成る。そして、前記対向軸受板３６の上端部は作動杆３１の駆動部３２と外嵌合するように上方に延び、かつ、駆動ピン３３と係合するＵ字状切欠部３８を有する。また対向軸受板３６の一方の左下端部には突起部３９が形成され、この突起部３９は底壁７ｆに設けられた施解錠信号検出手段（スイッチ）８１とプッシュ的に接触可能である。さらに、対向軸受板３６の下端部寄りの右側にはやや幅広のロックアーム部４１が突出し、このロックアーム部４１にはラッチの後退側垂直面と当接する水平ローラ４２が設けられている。なお、４３は軸１７に設けられた軸筒であり、また４４は回動ロック部材３５内に位置するように該軸筒４３に巻装された回動ロック部材用バネ４４である。回動ロック部材３５はこのバネ４４により常時ロック解除の方向（反時計方向）に付勢されている。
【００２２】
次に錠ケース７のラッチ用貫通孔２３から進退動可能に突出するラッチ５０について説明する。本実施例に於いては、ラッチ５０は従動体（トリガ）７０との関係では支軸５９を介して従動体７０を錠ケース７内に持ち上げ（後退させ）たり、錠ケース７内から元の位置へと復帰（突出）させたりするので、その意味では駆動体としの機能を発揮する。また引戸１の係合部材（デッドボルト）との関係ではストッパーとしの機能を発揮する。
【００２３】
そこで、このラッチ５０を図５に基づいて説明する。５１は錠ケース７から突出する垂直係止面である。この垂直係止面５１は引戸１を半開〜全開方向へ開くと、デッドボルト３Ｂ、３Ａの一側面に係脱〜係合する。
【００２４】
５２は垂直係止面５１の下端縁から後方へ連設するテーパー状摺接面である。このテーパー状摺接面５２は引戸１を全開〜半開位置から全閉位置へと閉じると、デッドボルト３Ａ、３Ｂの他側面に係脱する。
【００２５】
５３はテーパー状摺接面５２にやや弧状に連設すると共に、ラッチ用貫通孔２２に遊嵌合する後方連設部である。５４はこの後方連設部５３と錠ケース７内に常時位置する上壁５５にそれぞれ連設する突起部で、この突起部５４には固定軸筒５６を介して横軸１６が設けられている。
【００２６】
５７は全体としてピストル形状に形成された前後の側壁で、この前後の側壁５７には錠ケース７の第２垂直ガイド長孔１２と係合する一対の突起軸６０が形成されている。また本実施例では一方側壁５７の略中間部（突起軸６０と横軸１６とに間）に、従動体７０を枢支する支軸５９が突設されている。
【００２７】
６１は前記上壁５５の先端部に突起状に形成され、かつ、回動ロック部材３５の水平ローラ４２と当接する後退側垂直面６１ａを有する当接部である。
【００２８】
次に全閉用デッドボルト３Ｂが半開方向へ水平動するとラッチ５０と共に移動（本実施例ではやや回転しながら上下動）し、かつ、トリガーバネのバネ力により所定量回転したまま所定位置に保持され、一方、全閉用デッドボルト３Ｂが全閉方向へ水平動すると再びラッチ５０と共に移動し、かつ、トリガーバネのバネ力により元の位置に復帰する従動体（トリガー）７０について説明する。
【００２９】
この従動体７０は、図６、図７で示すように、望ましくは一部に切欠部や検出手段用突起部を有する外周円形〜多角形の板状体が用いられる。
【００３０】
しかして、７１はラッチ５０の支軸５９が嵌挿する中心孔で、この中心孔７１を介して従動体７０はラッチ５０に回動可能に装着されている。７２はこの中心孔７１から左下半径方向へ広がるように一部切欠された切欠部で、この切欠部７２はラッチ５０の垂直係止面５１と全閉用デッドボルト３Ｂとの係合関係を考慮し、本実施例では山形状に切欠されている。そこで、従動体７０を山形状切欠部７２との関係で親指〜人差し指の形態に例えると、７３はラッチ５０の前の側壁５７の一部に対向する親指部であり、一方、７４は引戸の半開時錠ケース７から突出する反面、引戸の全閉の際には全閉用デッドボルト３Ｂの上端面と一旦摺接する人差し指部である。
【００３１】
７５は、図６を基準にすると板状従動体７０の前壁面７０ａの上部に設けられた突出ピンで、一方、７６は板状従動体７０の後壁面７０ｂの上部に設けられた検出手段用突起部である。前記突出ピン７５は検出手段用突起部７６よりも右側に位置し、トリガーバネ７８と相俟って従動体７０を左右いずれかの方向に回転させる役割を果たす。また前記検出手段用突起部７６は、トリガー７０が一方向へ回転した際にラッチ５０の上壁５５と当接し、トリガー７０がフリーにならないように所定位置に保持する役割を果たす。
【００３２】
次に７８は軸１８に巻装され、かつ、一端部７８ａ側が従動体７０の突出ピン７５に圧接係合する従動体用付勢バネである。一方、７９は軸１９に巻装され、かつ、ラッチ５０の固定軸筒５６に圧接するラッチ用復帰バネである。
【００３３】
次にソレノイドに素早く通電させるための検出信号を拾う検出手段（スイッチ部材）８０について説明する。この検出手段８０は錠ケース７に内装され、従動体７０に対して設けられている。本実施例では、図１、図２、図８（引戸全閉時施錠）及び図９（引戸全閉時解錠）で示すように、引戸１が全閉状態の時、その可動接片８０ａが検出手段用突起部７６に押圧され、ソレノイド３０に対して通電スイッチＯＦＦであり、一方、引戸１の移動を介して全閉用デッドボルト３Ｂが半開方向へ水平動することにより従動体７０がラッチ５０と共に移動し（図１０は、説明の便宜上、引戸の半開状態への移行時を意味し、駆動源３０用の電気信号を検出する検出手段８０用従動体７０の突起部７６が可動接片８０ａから離れていく状態を示す）、そして、図１１で示すように、その可動接片８０ａが検出手段用突起部７６から離れるや否や、ソレノイド３０に対して通電スイッチＯＮと成る。なお、８１は施解錠機構Ｘの施解状態又は解錠状態の信号を検出するための検出手段で、この検出手段８１で検出された信号は、図示しない制御装置に送られる。
【００３４】
上記構成に於いて、まず図８は、引戸１が全閉状態で、かつ、ソレノイド３０が通電状態の説明図（引戸全閉時施錠）である。この場合ソレノイド３０の作動杆３１は伸張し、回動ロック部材３５の水平ローラ４２はラッチ５０の後退側垂直面６１ａに当接している。したがって、ラッチ５０は反時計方向に回転することができず、そのため全閉用デッドボルト３Ｂはラッチ５０に阻止されている。
【００３５】
次に図９は、引戸１が全閉状態で、かつ、ソレノイド３０が非通電状態の説明図である（引戸全閉時解錠）。この場合ソレノイド３０の作動杆３１は収縮し、回動ロック部材３５は反時計方向に回転する。これにより回動ロック部材３５の水平ローラ４２はラッチ５０の後退側垂直面６１ａから離れる。検出手段８１は、ソレノイド３０の非通電状態を検出し、この状態の検出信号を図示しない制御装置に送る。したがって、ラッチ５０は反時計方向に回転することができ、そのため全閉用デッドボルト３Ｂは移動可能になる。
【００３６】
次に図１０は、引戸１を開放方向Ａへと多少開いた初期時の場合に於いて、ソレノイド３０が直ちに通電状態になり得る場合の説明図である（引戸の半開状態への移行時）。
【００３７】
この場合ラッチ５０は全閉用デッドボルト３Ｂの移動により、ラッチ用復帰バネ７９のバネ力に抗して突起軸６０を支点に反時計方向へ回転する。そうすると、従動体７０はラッチ５０に支軸５９を介して一体的に連結されているので、ラッチ５０の軌跡に基づいて錠ケース７内に回転後退する。この場合従動体７０の突出ピン７５は付勢バネ７８の一端部７８ａをそのバネ力に抗して押し上げ、従動体７０の中心孔７１よりも左側へと移行しようとする。この突出ピン７５の移行時に従動体７０の突起部７６も検出手段８０の可動接片８０ａから離れようとする。
【００３８】
次に図１１は、引戸１を開放方向Ａへとさらに開き、全閉用デッドボルト３Ｂがラッチ５０の下方を通過中で、かつ、ソレノイド３０が通電状態になった場合を示す。引戸１を開放方向Ａへとさらに開くと、前述したように突出ピン７５はトリガーバネ７８のバネ力に抗して従動体７０の中心孔７１よりも左側へと移行し、図１１で示すように、従動体７０の突起部７６は検出手段８０の可動接片８０ａから離れる。しかして、検出手段８０は前記突起部７６が可動接片８０ａから離れるや否や「スイッチＯＮ」となることから、ソレノイド３０が通電状態になる。
【００３９】
次に図１２は、引戸１が開放方向Ａへ移動中にソレノイド３０の作動杆３１が伸張しつつある場合を示す（引戸の半開状態への移行時）。
【００４０】
次に図１３は、図１２に於いて、引戸１を開放方向へさらに開き、全閉用デッドボルト３Ｂがラッチ５０の下方を通過した場合を示す。
【００４１】
この場合ラッチ５０はラッチ用復帰バネ７９のバネ力により回転して直ぐ元の位置に復帰する（錠ケース７から突出する）。この時従動体７０は突出ピン７５の位置が左側に移行しているため、付勢バネ７８のバネ力により支軸５９を支点に反時計方向へ回転し、そのまま付勢バネ７８により押さえ付けられ、かつ、突起部７６がラッチ５０の上壁５５と当接するため、所定位置に回転停止する。したがって、検出手段８０は「スイッチＯＮ」のままである。
【００４２】
しかして、回動ロック部材３５は作動杆３１の伸張により、バネ４４にバネ力に抗して時計方向に回転し、ラッチ５０の回転を確実に阻止する。
【００４３】
次に図１４は、引戸１を半開状態にし、半開用デッドボルト３Ａがラッチ５０に係止ロックされた場合の説明図（引戸半開時施錠）である。この場合半開用デッドボルト３Ａは、全閉用デッドボルト３Ｂに対して互い違いに位置しているので、従動体７０の人差し指部７４が錠ケース７から突出していても邪魔にならない。
【００４４】
次に図１５は、引戸１を半開状態から全閉方向Ｂへ移動させ、全閉用デッドボルト３Ｂによりラッチ５０が錠ケース７内へと後退した場合の説明図である。この場合全閉用デッドボルト３Ｂがラッチ５０のテーパー状摺接面５２に摺接すると、ラッチ５０はラッチ用復帰バネ７９のバネ力に抗し、かつ、横軸１６、突起軸６０を介し、第１垂直ガイド長孔１１及び第２垂直長孔１２に案内されながら錠ケース７内へと水平後退する。したがって、従動体７０もラッチ５０と共に錠ケース７内へと水平後退する。
【００４５】
しかして、図１６で示すように全閉用デッドボルト３Ｂがラッチ５０及び従動体７０の下方を通過する際、従動体７０はその人差し指部７４が全閉用デッドボルト３Ｂの上端面と摺接する一方、その後ラッチ５０が錠ケース７から突出するのに追従し、かつ、トリガーバネ７８のバネ力により支軸５９を支点に時計方向に回転する。その結果、従動体の突出ピン７５は元の位置へと戻ると共に、その突起部７６が検出手段８０の可動接片８０ａを押圧し、検出手段８０は「スイッチＯＦＦ」と成る。したがって、ソレノイド３０は一旦非通電状態になるが、この時図示しない並列回路を有する施解錠制御装置は、検出手段８０の「スイッチＯＦＦ」の信号に基づき、ソレノイド３０を通電状態にする。そして、前述した図８で示すように全閉状態になると、ラッチ５０はラッチ用復帰バネ７９のバネ力により錠ケース７から突出し、全閉用デッドボルト３Ｂを係止する。
【００４６】
【実施例】
まず本発明の実施例に於いては、検出手段８０、８１の一例としては、マイクロスイッチが使用される。また錠ケース７のラッチ５０を上下方向に案内する案内部は垂直ガイド溝であっても良い。また従動体７０は、本実施例では支軸５９を支点に略６０度回転する。またデッドボルト３Ａ、３Ｂは同一の直線ライン上には位置していないが、仮にデッドボルト３Ａ、３Ｂは同一の直線ライン上に位置させる場合には、半開用デッドボルト３Ａの幅は従動体と衝突しないように全閉用デッドボルト３Ｂのそれよりも狭いことが必要である。
【００４７】
さらに、トリガー７０の人指し指部７４の長さは親指部７３と略同等であるが、例えば引戸１の全閉時の際に人指し指部７４がデッドボルト３Ｂの上端部に係合するように親指部７３よりも多少長く設定しても良い。
【００４８】
次に本発明の実施例に於いては半開用デッドボルト３Ａ及び全閉用デッドボルト３Ｂは、横方向に横設された長箱状の支持箱４に固定具６を介してそれぞれ突出量を任意に調整することができるように固定されているが、図１７及び図１８で示すように支持箱４Ａに一体に形成しても良い。
【００４９】
すなわち、９０Ａは上端開口９１の支持箱４Ａの内壁４ａに突出形成され、かつ、引戸１Ａの開放側端部に位置する半開用デッドボルトである。一方、９０Ｂは半開用デッドボルト９０Ａに対して支持箱４Ａの内壁４ａに突出形成された全閉用デッドボルトである。この全閉用デッドボルト９０Ｂと前記半開用デッドボルト９０Ａの間には半開状態を形成するための所要間隔が設けられている。
【００５０】
しかして、前記構成に於いては、半開用デッドボルト９０Ａ及び全閉用デッドボルト９０Ｂは駆動体としてのラッチ５０Ａに係脱する。また従動体としてのトリガー７０Ａは、引戸１Ａが全閉状態になると、全閉用デッドボルト９０Ｂの上端面と圧接する。また半開用デッドボルト９０Ａの幅ａは、引戸１Ａの半開状態の時に半開用デッドボルト９０Ａが従動体７０Ａと当接しないように全閉用デッドボルト９０Ｂの幅ｂよりも狭く設定されている。
【００５１】
なお、９２は引戸１を全開させる場合が有り得ることを考慮し、支持箱４Ａの上端部などに形成された従動体用案内切欠部である。
【００５２】
【発明の効果】
以上の説明から明らかなように、本発明にあっては次に列挙するような効果がある。
（１）引戸用電気錠に於いて、引戸の半開状態に於ける施錠用信号を確実に取り出すことができる。
（２）引戸を半開状態で施錠できる。すなわち、ラッチと一緒に移動することができるように該ラッチに軸支され、かつ、全閉用デッドボルト３Ｂ（９０Ｂ）が引戸を開く初期の段階で開放方向Ａに移動すると、例えば駆動源３０を制御するための電気信号を検出する検出手段８０から直ちに離れ、かつ、従動体用復帰バネのバネ力により一方向へ所定量回転してそのまま所定位置に停止する従動体７０（７０Ａ）を備えているので、引戸を開けると、駆動源を通電状態にすることができる。したがって、必ずラッチに半開用デッドボルト３Ａ（９０Ａ）が係止ロックされる。
（３）トリガーがラッチと共にスムースに作動する。
（４）検出手段並びにラッチやトリガー等を錠ケースに配設しても、錠ケースのコンパクト化の要望を満たすことができる。
【図面の簡単な説明】
図１乃至図１６は本発明の実施の形態を説明するための第１実施例に基づく各説明図。図１７及び図１８は第１実施例の要部の変形例を示す各説明図である。
【図１】引戸の全閉状態に於いて、正面から見た場合の概略説明図。
【図２】錠ケース内の施解錠機構を構成する各部材の配置を示す概略説明図。
【図３】支持箱側の部材（主にデッドボルト）を示す斜視からの説明図。
【図４】駆動源、回動ロック部材等を示す斜視からの説明図。
【図５】駆動体（ラッチ）と従動体（トリガー）との関係を示す斜視からの説明図。
【図６】従動体を示す斜視図。
【図７】従動体と他の部材との関係を示す概略説明図。
【図８】引戸が全閉状態で、かつ、駆動源が通電状態の説明図（引戸全閉時施錠）。
【図９】図８に於いて、駆動源が非通電状態の説明図（引戸全閉時解錠）。
【図１０】図９に於いて、引戸を開放方向Ａへと多少開いた場合に於いて、駆動体と従動体の動きを示す説明図（引戸の半開状態への移行時）。
【図１１】図１０に於いて、全閉用デッドボルトがラッチの下方を通過中に駆動源が通電状態になった場合の説明図。
【図１２】図１１に於いて、引戸が開放方向Ａへ移動中に駆動源の作動杆が伸張しつつある場合を示す説明図（引戸の半開状態への移行時）。
【図１３】図１２に於いて、引戸を開放方向へさらに開き、全閉用デッドボルトがラッチの下方を通過した場合を示す説明図。
【図１４】引戸を半開状態にし、半開用デッドボルトがラッチに係止ロックされた場合の説明図（引戸半開時施錠）。
【図１５】引戸を半開状態から全閉方向Ｂへ移動させ、全閉用デッドボルトによりラッチが錠ケース内へと後退した場合の説明図。
【図１６】図１５に於いて、全閉用デッドボルトがラッチ及び従動体の下方を通過し、ラッチに係止された説明図。
【図１７】第１実施例の変形例を示す説明図。
【図１８】第１実施例の要部の変形例を示す説明図。
【符号の説明】
１…引戸、２…上框、３Ａ、９０Ａ…半開用デッドボルト、３Ｂ、９０Ｂ…全閉用デッドボルト、４、４Ａ…支持箱、５…上枠、６…固定具、７…錠ケース、１１、１２…垂直ガイド長孔、１３、１４、１５…軸孔、１６…横軸、１７、１８、１９…軸、５９…支軸、６０…突起軸、２０…取付け板、２１…固着具、２２…フロント板、Ｘ…施解錠機構、３０…駆動源、３１…作動杆、３３…駆動ピン、３５…回動ロック部材、３６…対向軸受板、３７…垂直連結板、３８…切欠部、３９…突起部、４１…ロックアーム部、４２…水平ローラ、４３…軸筒、５０、５０Ａ…ラッチ、５１…垂直係止面、５２…摺接面、５４…突起部、５５…上壁、５６…固定軸筒、５７…前後の側壁、６１…当接部、７０、７０Ａ…従動体、７１…中心孔、７２…切欠部、７３…親指部、７４…人差し指部、７５…突出ピン、７８…付勢バネ、７９…復帰バネ、８０…検出手段、８１…施解錠信号検出手段。Ａ…開放方向、Ｂ…全閉方向。
【図１】
0003909895.tif 000002
【図２】
0003909895.tif 000003
【図３】
0003909895.tif 000004
【図４】
0003909895.tif 000005
【図５】
0003909895.tif 000006
【図６】
0003909895.tif 000007
【図７】
0003909895.tif 000008
【図８】
0003909895.tif 000009
【図９】
0003909895.tif 000010
【図１０】
0003909895.tif 000011
【図１１】
0003909895.tif 000012
【図１２】
0003909895.tif 000013
【図１３】
0003909895.tif 000014
【図１４】
0003909895.tif 000015
【図１５】
0003909895.tif 000016
【図１６】
0003909895.tif 000017
【図１７】
0003909895.tif 000018
【図１８】
0003909895.tif 000019